(57)【要約】【課題】撮影した画像を外部装置に送信する際の通信を適切に制御すること。【解決手段】ＣＰＵ１１−１は、第１の処理部５１と第３の処理部５３を備え、第１の処理部５１は、撮像部１６−１による画像の撮影と連動して出力される送信要求に呼応して、第１通信部２０−１により通信が確立している携帯端末装置２への撮影画像の自動送信処理を行１、第３の処理部５３は、第１の処理部５１による自動送信処理が終了した後、第１通信部２０−１による携帯端末装置２との通信を切断させるか否かを、その送信要求とは異なる送信要求が発行されうる状態であるが否かにより判別する。【選択図】図３
2016178638.tif 000002
【特許請求の範囲】
【請求項１】
撮像手段により撮影された画像を外部装置に送信する撮影装置であって、
前記撮像手段による画像の撮影と連動して出力される送信要求に呼応して、通信手段により通信が確立している前記外部装置への撮影画像の自動送信処理を行う自動送信処理手段と、
前記自動送信処理手段による自動送信処理が終了した後、前記通信手段による前記外部装置との通信を切断させるか否かを、前記送信要求とは異なる送信要求が発行されうる状態であるが否かにより判別する判別手段と、
を備えることを特徴とする撮影装置。
【請求項２】
前記判別手段は、ユーザによる送信指示操作により出力される送信要求が発行されうる状態である場合に、前記通信手段による前記外部装置との通信を切断させないと判別する、
ことを特徴とする請求項１に記載の撮影装置。
【請求項３】
ユーザによる送信指示操作により出力される送信要求に呼応して、前記通信手段により通信が確立している前記外部装置への、保存されている画像の手動送信処理を行う手動送信処理手段を、更に備え、
前記判別手段は、ユーザにより前記手動送信処理の実行を指示する操作が可能な状態である場合に、前記通信手段による前記外部装置との通信を切断させないと判別する、
ことを特徴とする請求項２に記載の撮影装置。
【請求項４】
前記判別手段は、前記通信手段による前記外部装置との通信が不能となった状態から所定時間経過後は、前記自動送信処理手段による自動送信処理が終了していない場合であっても、前記通信手段による前記外部装置との通信を切断させるか否かの判別を行わない、
ことを特徴とする請求項１〜３のいずれか一項に記載の撮影装置。
【請求項５】
前記判別手段により、前記通信手段による前記外部装置との通信を切断させると判別された場合に、所定時間経過後に前記通信手段による前記外部装置との通信を切断する処理を実行させるタイムアウト処理手段を、更に備える、
ことを特徴とする請求項１〜４のいずれか一項に記載の撮影装置。
【請求項６】
前記自動送信処理手段による自動送信処理に先立ち、自動送信処理が可能な状態であるか否かを判別し、自動送信が可能な状態でないと判別された場合に、前記自動送信処理手段による自動送信処理を禁止させる送信禁止処理手段を、更に備える、
ことを特徴とする請求項１〜５のいずれか一項に記載の撮影装置。
【請求項７】
前記通信手段により前記外部装置との通信が確立した際に、未送信の撮影画像があるか否かを判別し、未送信の撮影画像があると判別された場合に、前記自動送信処理手段に、前記送信要求がなくとも未送信の撮影画像を前記外部装置に送信する処理を実行させる再送信処理手段を、更に備える、
ことを特徴とする請求項１〜６のいずれか一項に記載の撮影装置。
【請求項８】
前記自動送信処理手段による自動送信処理の実行中に、通信に関わる状態の変化又は通信の切断要求を監視し、前記自動送信処理手段による自動送信処理が実行中であっても、前記通信手段に前記外部装置との通信を切断させる割り込み処理を行う割込処理手段を、更に備える、
ことを特徴とする請求項１〜７のいずれか一項に記載の撮影装置。
【請求項９】
前記自動送信処理手段による自動送信処理中、ユーザによる電源オフ指示操作が行われた際に、未送信の撮影画像がある場合に未送信の撮影画像数を表示手段に表示する処理を行うとともに、当該自動送信処理手段により１撮影画像の自動送信処理が終了するごとに未送信の撮影画像があるか否かを判別し、未送信の撮影画像がないと判別された場合に、前記通信手段による前記外部装置との通信を切断させ、電源オフ処理を行う自動送信電源オフ手段を、更に備える、
ことを特徴とする請求項１〜８のいずれか一項に記載の撮影装置。
【請求項１０】
前記撮像手段により撮影された画像を、前記自動送信処理手段が自動送信処理を行う撮影画像として管理する画像管理処理手段を、更に備える、
ことを特徴とする請求項１〜９のいずれか一項に記載の撮影装置。
【請求項１１】
前記自動送信処理手段による自動送信処理と、前記撮像手段による撮影処理とを排他制御する、当該自動送信処理の実行を禁止する状態を管理する状態管理処理手段を、更に備える、
ことを特徴とする請求項１〜１０のいずれか一項に記載の撮影装置。
【請求項１２】
撮像手段と、画像を外部装置に送信する通信手段と、を備える撮影装置で実行される送信制御方法であって、
前記撮像手段による画像の撮影と連動して出力される送信要求に呼応して、通信手段により通信が確立している前記外部装置への撮影画像の自動送信処理を行う処理と、
前記自動送信処理が終了した後、前記通信手段による前記外部装置との通信を切断させるか否かを、前記送信要求とは異なる送信要求が発行されうる状態であるが否かにより判別する処理と、
を含むことを特徴とする送信制御方法。
【請求項１３】
撮像手段と、画像を外部装置に送信する送信手段と、を備える撮影装置を制御するコンピュータに、
前記撮像手段による画像の撮影と連動して出力される送信要求に呼応して、通信手段により通信が確立している前記外部装置への撮影画像の自動送信処理を行う機能と、
前記自動送信処理が終了した後、前記通信手段による前記外部装置との通信を切断させるか否かを、前記送信要求とは異なる送信要求が発行されうる状態であるが否かにより判別する機能と、
を実現させることを特徴とするプログラム。
【発明の詳細な説明】
【技術分野】
【０００１】
本発明は、撮影装置、送信制御方法及びプログラムに関する。
【背景技術】
【０００２】
従来より、撮影装置により撮影された画像を、撮影した撮影装置だけではなく、他の外部装置でも活用することが行われている。特許文献１では、他の外部装置でも活用するために画像が撮影されると自動的に外部装置に送信する技術が開示されている。
【先行技術文献】
【特許文献】
【０００３】
【特許文献１】特開２００２−３４２４６５号公報
【発明の概要】
【発明が解決しようとする課題】
【０００４】
しかしながら、画像を自動的に外部装置に送信するためには、外部装置との通信の制御が難しいという問題がある。
【０００５】
本発明は、このような状況に鑑みてなされたものであり、撮影した画像を外部装置に送信する際の通信を適切に制御することを目的とする。
【課題を解決するための手段】
【０００６】
上記目的を達成するため、本発明の一態様の撮影装置は、
撮像手段により撮影された画像を外部装置に送信する撮影装置であって、
前記撮像手段による画像の撮影と連動して出力される送信要求に呼応して、通信手段により通信が確立している前記外部装置への撮影画像の自動送信処理を行う自動送信処理手段と、
前記自動送信処理手段による自動送信処理が終了した後、前記通信手段による前記外部装置との通信を切断させるか否かを、前記送信要求とは異なる送信要求が発行されうる状態であるが否かにより判別する判別手段と、
を備えることを特徴とする。
【発明の効果】
【０００７】
本発明によれば、撮影した画像を外部装置に送信する際の通信を適切に制御することができる。
【図面の簡単な説明】
【０００８】
【図１】本発明の一実施形態に係る画像転送システムのシステム構成を示すシステム構成図である。
【図２】本発明の一実施形態に係る撮影装置及び携帯端末装置のハードウェアの構成を示すブロック図である。
【図３】図２の撮影装置の機能的構成のうち、自動送信処理を実行するための機能的構成を示す機能ブロック図である。
【図４】図３の機能的構成を有する図２の撮影装置が実行する自動送信処理の流れを説明するフローチャートである。
【図５】自動送信処理のうち、割り込み処理の流れを説明するフローチャートである。
【図６】自動送信処理のうち、タイムアウト処理の流れを説明するフローチャートである。
【図７】自動送信処理のうち、自動送信電源オフ処理の流れを説明するフローチャートである。
【図８】自動送信処理のうち、送信要求通知処理の流れを説明するフローチャートである。
【図９】自動送信処理のうち、送信禁止要求及び解除処理の流れを説明するフローチャートである。
【発明を実施するための形態】
【０００９】
以下、本発明の実施形態について、図面を用いて説明する。
【００１０】
図１は、本発明の一実施形態に係る画像転送システムのシステム構成を示すシステム構成図である。
画像送信システムＳは、図１に示すように、撮影装置１と、携帯端末装置２とを備える。
画像送信システムＳでは、撮影装置１で撮影された画像（以下、「撮影画像」という。）を、撮影後に、外部装置である携帯端末装置２に自動的に送信する機能を有する。
本実施形態においては、撮影装置１は、撮影画像のうち、（図中ハッチングで示した）送信対象となっている撮影画像のみを携帯端末装置２に送信する。撮影装置１では、撮影画像の送信対象と送信状況を撮影画像のＩＤで管理する送信対象リストを保持しており、当該送信対象リストを参照して、撮影画像の送信を行う。即ち、撮影装置１では、送信対象リストに記憶される未送信ＩＤに基づいて、対応する撮影画像を携帯端末装置２に送信する。なお、送信対象への設定は、例えば、撮影時の設定（「自動送信設定：入／切」）等に基づき行われる。
【００１１】
撮影装置１における自動送信機能を実行するために、以下の処理系統を複合したシーケンスシステムを構築して実現している。
（１）ステータス管理および自動送信シーケンス
（自動送信ループとステータス管理およびステータス処理）
（２）送信禁止処理シーケンス
（事前の送信禁止確認処理等）
（３）送信要求が無くても自主的に再送信を試みるシーケンス
（送信枚数管理）
（４）割り込み処理シーケンス
（通信切断、送信中断、強制電源オフ等）
（５）接続タイムアウト処理シーケンス
（通信接続、送信応答、送信完了後通信切断）
（６）ＷｉＦｉ切断処理シーケンス
（ＷｉＦｉ接続管理）
（７）自動送信電源オフ処理シーケンス
（８）送信要求通知シーケンス
（送信画像ファイルの管理）
（９）送信禁止要求及び解除シーケンス
（送信以外の処理と並行して送信処理を実行するための状態管理）
【００１２】
また、本実施形態の画像送信システムＳにおいては、撮影装置１では、画像の送信にあたり、２つの通信方式を用いる。即ち、高速でありファイルの送受信に適した無線通信方式（以下、「第１通信方式」という。）と、低速であるが省電力であり常時接続に適した無線通信方式（以下、「第２通信方式」という。）との通信方式で、画像の送信を行う。
なお、本実施形態において、第１通信方式は、無線ＬＡＮ（Ｌｏｃａｌ  Ａｒｅａ  Ｎｅｔｗｏｒｋ）のうちＷｉ−Ｆｉ（Ｗｉｒｅｌｅｓｓ  Ｆｉｄｅｌｉｔｙ）の通信規格に基づいた通信方式を用いる。また、第２通信方式は、ＢＬＥ（Ｂｌｕｅｔｏｏｔｈ  ｌｏｗ  ｅｎｅｒｇｙ／Ｂｌｕｅｔｏｏｔｈ  ＬＥ，「Ｂｌｕｅｔｏｏｔｈ」は登録商標）（商標）の通信規格に基づいた通信方式を用いる。
【００１３】
本実施形態の画像送信システムＳにおいて撮影画像の自動送信機能を発揮する場合には、撮影装置１と携帯端末装置２の間で、第２通信方式であるＢＬＥで通信が確立した状態（常時接続状態）で行われる。即ち、撮影装置１と携帯端末装置２との間で、第２通信方式であるＢＬＥで接続がされていることが前提となって撮影画像の自動送信機能が発揮される。
具体的には、撮影装置１から、携帯端末装置２に対して、第２通信方式での通信を介して、第１通信方式であるＷｉ−Ｆｉでの通信を確立するように指示（制御信号）を出して、撮影装置１と携帯端末装置２との間で第１通信方式であるＷｉ−Ｆｉでの通信を確立する。なお、本実施形態においては、撮影装置１では、Ｗｉ−Ｆｉにおいて親機となるようにし、携帯端末装置２では、第１通信方式であるＷｉ−Ｆｉにおいて子機となるようにして、撮影装置１と携帯端末装置２の１対１の直接通信で通信を確立する。
その後、撮影装置１から、携帯端末装置２に対して、第１通信方式で、画像を送信する。これにより、携帯端末装置２では、操作を行うことなく、第１通信方式で、画像を受信することができるようになる。
【００１４】
また、画像送信システムＳでは、撮影装置１に保存されている画像を、ユーザが呼び出して、任意に外部装置である携帯端末装置２に手動で送信する機能を有する。
また、撮影装置１は、画像を撮影するＲＥＣモードと記憶されている画像を呼び出して表示するＰＬＡＹモードを有し、自動送信はＲＥＣモードで行われ、手動送信ＰＬＡＹモードで行われる。
【００１５】
さらに、携帯端末装置２では、撮影装置１から受信した撮影画像を、例えば、記憶・管理したり、他の外部機器との画像の共有を目的として、クラウドサーバにアップロードしたりする等の撮影画像の外部装置での活用がなされる。
【００１６】
図２は、本発明の一実施形態に係る撮影装置１及び携帯端末装置２のハードウェアの構成を示すブロック図である。
撮影装置１は、例えばデジタルカメラとして構成される。
【００１７】
撮影装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、第１通信部２０と、第２通信部２１と、ドライブ２２と、電源部２３と、を備えている。
【００１８】
ＣＰＵ１１は、ＲＯＭ１２に記録されているプログラム、又は、記憶部１９からＲＡＭ１３にロードされたプログラムに従って各種の処理を実行する。
【００１９】
ＲＡＭ１３には、ＣＰＵ１１が各種の処理を実行する上において必要なデータ等も適宜記憶される。
【００２０】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、第１通信部２０、第２通信部２１、ドライブ２２及び電源部２３が接続されている。
【００２１】
撮像部１６は、図示はしないが、光学レンズ部と、イメージセンサと、を備えている。
【００２２】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２３】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮影画像のデータ」とも呼ぶ。撮影画像のデータは、ＣＰＵ１１や図示しない画像処理部等に適宜供給される。
【００２４】
入力部１７は、各種釦等で構成され、ユーザの指示操作に応じて各種情報を入力する。
出力部１８は、ディスプレイやスピーカ等で構成され、画像や音声を出力する。
【００２５】
記憶部１９は、ハードディスク或いはフラッシュメモリ等で構成され、各種画像のデータを記憶する。
【００２６】
第１通信部２０は、高速でありファイルの送受信に適した無線通信方式（以下、「第１通信方式」という。）で外部装置（本実施形態においては、携帯端末装置２）との間で行う通信を制御する。本実施形態においては、第１通信方式は、無線ＬＡＮ（Ｌｏｃａｌ  Ａｒｅａ  Ｎｅｔｗｏｒｋ）のうちＷｉ−Ｆｉ（Ｗｉｒｅｌｅｓｓ  Ｆｉｄｅｌｉｔｙ）の通信規格に基づいた通信方式を用いる。
【００２７】
第２通信部２１は、低速であるが省電力であり常時接続に適した無線通信方式（以下、「第２通信方式」という。）で外部装置（本実施形態においては、携帯端末装置２）との間で行う通信を制御する。本実施形態においては、第２通信方式は、Ｂｌｕｅｔｏｏｔｈ  Ｌｏｗ  Ｅｎｅｒｇｙ／Ｂｌｕｅｔｏｏｔｈ  ＬＥ（以下、「ＢＬＥ」という。）の通信規格に基づいた通信方式を用いる。
【００２８】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２９】
電源部２３は、例えば、リチウムイオン二次電池により構成され、電源回路（図示せず）を介して、撮影装置１に駆動用の電力を供給する電力供給源であり、撮影装置１の駆動源としての電流を撮影装置１の各構成へ供給する。電源部２３は、ＣＰＵ１１により制御され、例えば、電源オフ状態において、出力部１８等への電源の供給を停止して表示出力をオフして、第１通信部２０や第２通信部２１等の通信における電源の供給を維持して、電源オフ状態においても画像送信を可能に制御される。
【００３０】
また、携帯端末装置２は、例えばタブレット端末として構成される。
なお、ハードウェアの構成については、撮影装置１と同様であるため省略する。以下、撮影装置１と携帯端末装置２におけるハードウェアを説明として用いる場合には、撮影装置１には、符号の末尾に「−１」を付すものとし、携帯端末装置２には符号の末尾に「−２」を付すものとする。即ち、撮影装置１は、ＣＰＵ１１−１乃至リムーバブルメディア３１−１と表記するものとし、携帯端末装置２は、ＣＰＵ１１−２乃至リムーバブルメディア３１−２と表記するものとする。
【００３１】
図３は、図２の撮影装置１の機能的構成のうち、自動送信処理を実行するための機能的構成を示す機能ブロック図である。
自動送信処理とは、撮影した画像を、外部装置（本実施形態においては、携帯端末装置２）に自動的に送信する一連の処理をいう。
【００３２】
自動送信処理を実行する場合には、図３に示すように、ＣＰＵ１１−１において、第１の処理部５１と、第２の処理部５２と、第３の処理部５３と、第４の処理部５４と、第５の処理部５５と、第６の処理部５６と、が機能する。
また、手動送信処理を実行する場合には、図３に示すように、ＣＰＵ１１−１において、第７の処理部５７が機能する。
【００３３】
また、記憶部１９−１の一領域には、画像記憶部７１と、送信対象リスト記憶部７２と、禁止要求記憶部７３と、が設定される。
【００３４】
画像記憶部７１には、撮影を行い撮像部１６−１から取得し生成された撮影画像のデータが記憶される。
【００３５】
送信対象リスト記憶部７２には、画像記憶部７１に記憶される撮影画像のうち、送信対象となっている撮影画像の送信状況を管理するための送信対象リストが記憶される。送信対象リストには、本実施形態においては、画像の送信状況として、未送信の画像が対応するＩＤで記憶される。対象となる画像の送信が完了すると、送信対象リストからＩＤが削除されることで、画像の送信状況を管理する。即ち、送信対象リストには、送信対象のうち、未送信の画像のＩＤのみが記憶され、非送信対象と、送信対象のうち、送信済みの画像のＩＤは記憶されない。
【００３６】
禁止要求記憶部７３には、撮像部１６−１或いは、その他の図示しない撮影装置１内の何れかの処理部から発行された自動送信の送信禁止要求及び禁止要因を、送信禁止要求を発行した処理部と対応付けて記憶する。
【００３７】
第１の処理部５１は、ステータス管理に基づき自動送信シーケンスを実行する。
また、第１の処理部５１は、送信禁止処理シーケンスを行う。
また、第１の処理部５１は、送信要求が無くても自主的に再送信を試みるシーケンスを実行する。
第２の処理部５２は、割り込み処理シーケンスを実行する。
第３の処理部５３は、接続タイムアウト処理シーケンスを実行する。
また、第３の処理部５３は、ＷｉＦｉ切断処理シーケンスを実行する。
第４の処理部５４は、自動送信電源オフ処理シーケンスを実行する。
第５の処理部５５は、送信要求通知シーケンスを実行する。
第６の処理部５６は、送信禁止要求及び解除シーケンスを実行する。
第７の処理部５７は、ユーザの送信指示に応じて手動送信処理を実行する。
【００３８】
次に、動作を説明する。
［自動送信シーケンス］
図４−図９は、図３の機能的構成を有する図２の撮影装置１が実行する自動送信シーケンスの流れを説明するフローチャートである。
以下、上述したシーケンスシステムごとに説明する。
【００３９】
図４は、第１の処理部５１が実行する処理の流れを説明するフローチャートである。
（１）ステータス管理および自動送信シーケンス
自動送信シーケンスを管理するための状態として、下記のステータス情報を持つ。
「アイドル状態」
「初期化済状態」
「送信準備完了状態」
初期値は「アイドル状態」である。
実行手順は下記のとおりとなる。
なお、ステップＡ７、Ａ１１、Ａ１２、Ａ１３の処理の説明は後述する。
１）最初、撮影装置１が電源ＯＮされると、図示しない制御部より第１通信部２０−１による送信を可能とするための自動送信の「開始要求」（ステップＡ１）を受信する（ステップＡ６）。
２）自動送信シーケンスを開始し、初期値が「アイドル状態」なのでアイドル状態の処理として「初期化処理」を実行（ステップＡ８）。
初期化処理実行後は「初期化済状態」に状態が移行して、自動送信シーケンスのループ先頭に戻る（ステップＡ７）。
３）次に「初期化済状態」になっているので「通信接続処理」を実行し（ステップＡ９）、接続完了後、状態は「送信準備完了状態」になり、自動送信シーケンスのループ先頭に戻る（ステップＡ７）。
４）次に、撮影が実行されたことに呼応して、自動送信の「画像生成通知」（ステップＡ３）が受信されると（ステップＡ６）、「送信準備完了状態」になっているので、第１通信部２０−１による「画像送信処理」を実行する（ステップＡ１０）。
１枚の画像を送信完了した時点で再び「初期化済状態」に戻り、自動送信シーケンスのループ先頭に戻る（ステップＡ７）。
【００４０】
（２）送信禁止処理シーケンス
１）自動送信シーケンスの事前チェックとして、ステップＡ７では下記のような条件をチェックする。
「機内モード」かどうか。
「送信禁止状態」かどうか。
「送信用画像が生成されている」かどうか。
「スマートフォンとペアリング」されているかどうか。
「ＷｉＦｉ通信が接続」されているかどうか。
２）これらの条件が揃わない場合は、条件が揃うまで待つが、タイマーが開始され、一定時刻を過ぎるとタイムアウトとして処理され、メッセージ待ちに戻る（ステップＡ７）。
【００４１】
（３）送信要求が無くても自主的に再送信を試みるシーケンス
１）自動送信シーケンス処理の先頭で、送信する画像数（＝未送信画像数）を、後述する第５の処理部５５から取得する。
２）１枚送信完了すると、未送信画像数を１減算する（ステップＡ１１）。
３）未送信画像数が０でない場合は（ステップＡ１２で「未送信画像あり」）、自動送信開始要求が無くても自主的に自動送信シーケンスの先頭に戻り（ステップＡ７）、再度、自動送信シーケンスを開始する。
【００４２】
図５は、第２の処理部５２の処理の流れを説明するフローチャートである。
（４）割り込みシーケンス
１）、第１通信部２０−１による自動送信中には、通信切断、送信停止要求、強制電源オフなどが発生する。
これらはメッセージ通知として第２の処理部５２に発行される（図５のステップＢ１、Ｂ２、Ｂ３）。
２）この通知を受信すると、ただちに送信中断処理を行い（ステップＢ４）、第１の処理部５１に対して送信を停止させるための、「割り込み通知」を発行する（ステップＢ５）。
３）送信停止が完了したあとは、一定時間後に第１通信部２０−１の通信切断処理を行う（ステップＢ６）。
【００４３】
図６は、第３の処理部５３の処理の流れを説明するフローチャートである。
（５）接続タイムアウトシーケンス
通信接続時に「通信接続要求」を行うが（図４のステップＡ２）、一定時間内に接続できなかった場合は通信接続タイムアウトになる（ステップＣ１、Ｃ１０）。
画像送信実行後、携帯端末装置２側から何らかの事情により応答が無くなって送信できなくなった場合、一定時間後に画像送信タイムアウトになる（ステップＣ２、Ｃ１０）。
画像を送信完了して未送信画像が無くなった場合、一定時間後に第１通信部２０−１の通信切断処理を行う（ステップＣ３、Ｃ１０）。
（６）ＷｉＦｉ切断シーケンス
１）第１の処理部５１による自動送信シーケンスで、１枚の画像送信処理が完了すると（図４のステップＡ１１）、未送信画像があるかどうかチェックして（図４のステップＡ１２）、未送信画像なしと判定された場合には、ＷｉＦｉ切断タイマーを開始する処理を行う（ステップＡ１３）。
２）タイマー開始後１分経過すると、第３の処理部５３に発行されたメッセージを受信すると（ステップＣ３）、切断判定処理を開始する。
３）他には自動送信において通信接続時（通信接続を要求してから通信が確立するまでの間）にタイムアウトが起きた場合（ステップＣ１）、または、画像送信時（画像送信を接続先の携帯端末装置２に要求するが応答があるまでの間）にタイムアウトが起きた場合（ステップＣ２）にも第３の処理部５３に発行されたメッセージを受信すると同様の処理を開始する。
４）第３の処理部５３では、まずは自動送信完了なのかタイムアウトなのかを切り分ける（ステップＣ４、Ｃ５）。そのどちらにも該当しない場合には（ステップＣ４でＮＯ、ステップＣ５でＮＯ）、第１通信部２０−１によるＷｉＦｉ通信を切断せずに（ステップＣ７）処理を終了する。
５）次に現在が、撮像部１６−１による撮影を行うＲＥＣモードなのか、画像記憶部７１に記憶されている画像を出力部１８−１に表示するＰＬＡＹモードなのかを切り分ける（ステップＣ６）。ＰＬＡＹモードでは出力部１８−１に表示され、ユーザが見ている画像を直ちに、入力部１７−１の操作により手動で送信することができるクイック送信などの機能を有するため、第１通信部２０−１によるＷｉＦｉ通信は切断せずに（ステップＣ７）継続するため、ここで処理を終了する。一方、ＲＥＣモードと判断されている場合には、自動送信設定がＯＮになっている状態かどうかをチェックする（ステップＣ８）。
６）自動送信設定がＯＮになっている場合は（ステップＣ８でＹＥＳ）、撮影終了後は自動送信対象の画像となるため、１分間の時間の猶予をもって第１通信部２０−１によるＷｉＦｉ通信の切断とするためのタイマーを開始する（ステップＣ９）。その後、１分間のタイマーを待って、第１通信部２０−１によるＷｉＦｉ通信の切断処理を行う（ステップＣ１０）。一方、自動送信設定がオフになっている場合には（ステップＣ８でＮＯ）、すぐに自動送信が発生することは無いと判断され、第１通信部２０−１によるＷｉＦｉ通信の切断処理を即刻実施する（ステップＣ１０）。
【００４４】
なお、ＲＥＣモードとＰＬＡＹモードの切り替えは、入力部１７−１によるユーザのモード変更操作に応じて行われ、自動送信設定の変更は、入力部１７−１によるユーザの設定変更操作に応じて、「ＭＥＮＵ設定変更要求」メッセージ（図４のステップＡ４）が受信されることで（図４のステップＡ６）、行われる。
【００４５】
手動送信処理は、入力部１７−１によるユーザの操作により出力される「送信要求」を第７の処理部５７が受信すると、出力部１８−１に表示されている画像を、第１通信部２０−１によるＷｉＦｉ通信により携帯端末装置２に送信することで実行される。
【００４６】
図７は、第４の処理部５４の処理の流れを説明するフローチャートである。
（７）自動送信電源オフ処理シーケンス
自動送信実行中に、入力部１７−１によるユーザの電源オフ操作に応じて、第４の処理部５４に発行された「自動送信電源オフ通知」が受信されると（図４のステップＡ５）、第１の処理部５１から第４の処理部５４に開始要求される（ステップＤ１）。
開始要求後は第１の処理部５１からのメッセージ待ちとなる（ステップＤ５）。
「自動送信電源オフ通知」メッセージからは、自動送信の状態と、未送信画像数の情報が取得できる。
ここでいったん第１の処理部５１のフローチャート（図４）の説明に戻る。
第１の処理部５１ではユーザ操作に応じた「自動送信電源オフ通知」を受信すると（ステップＡ５）、第４の処理部５４に対して、「自動送信電源オフ開始要求」を発行する（ステップＤ２）。
第１の処理部５１は、「自動送信電源オフ開始」されたことをステータスで伝達し、さらに「未送信画像数」を第４の処理部５４に対して発行する（ステップＤ２）。
次に第４の処理部５４では、この第１の処理部５１から発行されたメッセージを受信することによって（ステップＤ２、Ｄ５）、自動送信電源オフ処理が開始要求され、さらに未送信画像数を取得することができる。
まず第４の処理部５４では未送信画像数があるかどうかをチェックする（ステップＤ６）。ない場合には、特に何も処理せずに通常のカメラの電源オフ処理に移行する（ステップＤ７）。
未送信画像がある場合には、未送信画像があることをユーザに伝えるための警告メッセージを画面に表示させる（ステップＤ８）。そのとき未送信画像数も同時に表示する。
ここで再び第１の処理部５１フローチャート（図４）の説明に戻る。
第１の処理部５１は１枚ずつ画像を送信するが、１枚送信完了するごとに、第４の処理部５４に対して、「１枚送信完了応答」であることと「未送信画像数」を伝達する（Ａ１１、図７のステップＤ３）。
自動送信電源オフ処理はこのメッセージを受けて（ステップＤ５）、未送信画像数を取得し、警告メッセージの未送信画像数を１減算して表示する（ステップＤ９）。
【００４７】
さらに第１の処理部５１のフローチャート（図４）の説明に戻る。
自動送信中には通信接続のタイムアウトや、通信切断、自動送信の停止要求などによる中断処理が行われる。このとき第１の処理部５１は、第４の処理部５４に対して「送信停止応答」を発行し（図７のステップＤ４）と、「未送信画像数を０枚」として伝達する。
つまり自動送信シーケンスを停止してただちに電源オフするように伝達する。
このメッセージを受信した第４の処理部５４は（ステップＤ５）、ただちに自動送信電源オフ処理を中断するとともに、撮影装置１のの通常電源オフ処理を行う処理に抜ける（Ｄ７）。
【００４８】
図８は、送信要求通知シーケンスを説明するためのフローチャートである。
（８）送信要求通知シーケンス
撮像部１６−１による撮影によって画像ファイルが作成されると、第５の処理部５５から第１の処理部５１に「送信要求通知」が発行される。以下、この仕組みについて説明する。
【００４９】
入力部１７−１によるユーザの撮影指示に応じて、撮像部１６−１により画像が撮影されると（ステップＥ１）、画像ファイルが作成され、画像記憶部７１に保存される（ステップＥ２）。
自動送信設定がＯＮである場合に（ステップＥ３でＹＥＳ）、第５の処理部５５は、このファイルのファイル情報を確認し（ステップＥ４）、送信対象の画像かどうかを判別する（ステップＥ５）。
第５の処理部５５は、送信対象の画像であると判別した場合は、送信対象リスト記憶部７２に、この画像のファイル情報を追加する（ステップＥ６）。
続いて、第５の処理部５５は、第１の処理部５１に「送信要求通知」を発行する（ステップＥ７、図４のステップＡ３）。
【００５０】
図９は、送信禁止要求及び解除シーケンス、送信禁止状態を説明するためのフローチャートである。
自動送信シーケンスは、画像送信処理と、撮影処理を含む他の処理とを並行して行うが、共存できないタイミングが存在し、このタイミングを送信禁止状態と呼び排他制御を行う。以下、この排他制御について説明する。
【００５１】
画像送信処理と並行処理できない処理は、静止画撮影処理や動画撮影処理など複数の要因があり、そのどれか１つでも合致していたら送信を行わない。また送信中に条件を満たせば即時送信を中断する。
【００５２】
要因となる動作の開始から終了までの手順は以下の通りとなる。
撮像部１６−１或いは、その他の図示しない撮影装置１内の何れかの処理部が禁止要因とともに「送信禁止要求」を、第６の処理部５６に発行する。
撮像部１６−１の場合は、入力部１７−１によるユーザの撮影指示操作としてハーフシャッタ操作が行われると、撮影処理を開始し、「送信禁止要求」を、第６の処理部５６に発行する（ステップＦ２）。
第６の処理部５６は、禁止要因とともに「送信禁止要求」を受信すると（ステップＦ１１でＹＥＳ）、禁止要因と要求発行元を、禁止要求記憶部７３に記憶する（ステップＦ１６）。
第６の処理部５６は、禁止要求記憶部７３に、他の要因の要求が記憶されているか確認し、許可状態から禁止状態に変わっていれば（ステップＦ１７でＹＥＳ）、以下の禁止処理を行う。
１）現在の送信状態をチェックする（ステップＦ１８）。
２）送信実行中であれば（ステップＦ１８でＹＥＳ）、「送信禁止要求」を第１の処理部５１に発行する（ステップＦ１９）。
３）第１の処理部５１が送信を停止するのを待つ（ステップＦ２０）。
４）送信が行われていないことを確認し（ステップＦ２０でＹＥＳ）、禁止要求記憶部７３に記憶されている送信禁止要求を発行している処理部に「送信停止通知」を発行する（ステップＦ２１）。
５）「送信停止通知」を受信した処理部は、各処理部に応じて処理を行う。
６）撮像部１６−１の場合は、「送信停止通知」を受信すると（ステップＦ３でＹＥＳ）、撮影処理を実行し（ステップＦ４）、排他制御を必要としなくなった時点で送信禁止要求を解除する（ステップＦ５）。
【００５３】
また、第６の処理部５６は、他の要求を含めた禁止状態を確認する（ステップＦ１２）。
第６の処理部５６は、全ての禁止要求解除が検出されていたら（ステップＦ１２でＹＥＳ）、禁止要求記憶部７３に記憶されている禁止要求を削除し（ステップＦ１３）、禁止要求記憶部７３に、他の要因の要求が記憶されているか確認し（ステップＦ１４）、ないことが確認できると（ステップＦ１４でＹＥＳ）、第１の処理部５１に、「送信許可通知」を発行する（ステップＦ１５）。
【００５４】
以上のように構成される撮影装置１は、第１の処理部５１と第３の処理部５３を備える。
第１の処理部５１は、撮像部１６−１による画像の撮影と連動して出力される送信要求に呼応して、第１通信部２０−１により通信が確立している携帯端末装置２への撮影画像の自動送信処理を行う。
第３の処理部５３は、第１の処理部５１による自動送信処理が終了した後、第１通信部２０−１による携帯端末装置２との通信を切断させるか否かを、その送信要求とは異なる送信要求が発行されうる状態であるが否かにより判別する。
これにより、適切な通信制御を行うことができる。
【００５５】
第３の処理部５３は、ユーザによる送信指示操作により出力される送信要求が発行されうる状態である場合に、第１通信部２０−１による携帯端末装置２との通信を切断させないと判別する。
これにより、ユーザによる送信指示操作が行われる場合であっても、適切な通信制御を行うことができる。
【００５６】
撮影装置１は、第７の処理部５７を更に備える。
第７の処理部５７は、入力部１７−１によるユーザの送信指示操作により出力される送信要求に呼応して、第１通信部２０−１による携帯端末装置２との通信が確立している携帯端末装置２への、画像記憶部７１に保存されている画像の手動送信処理を行う。
第３の処理部５３は、入力部１７−１によるユーザの第７の処理部５７による手動送信処理の実行を指示する操作が可能な状態である場合に、第１通信部２０−１による携帯端末装置２との通信を切断させないと判別する。
これによりユーザにより表示されている画像の手動送信指示操作が行われると即座に画像の送信処理が可能となる。
【００５７】
第３の処理部５３は、第１通信部２０−１による携帯端末装置２との通信が不能となった状態から所定時間経過後は、第１の処理部５１による自動送信処理が終了していない場合であっても、第１通信部２０−１による携帯端末装置２との通信を切断させるか否かの判別を行わない。
これにより、不要な判別処理を行わないようにすることができる。
【００５８】
第３の処理部５３は、第１通信部２０−１による携帯端末装置２との通信を切断させると判別された場合に、所定時間経過後に第１通信部２０−１による携帯端末装置２との通信を切断する処理を実行する。
これにより、適切な通信制御が行える。
【００５９】
第１の処理部５１は、自動送信処理に先立ち、自動送信処理が可能な状態であるか否かを判別し、自動送信が可能な状態でないと判別された場合に、自動送信処理を禁止する。
これにより、不要な送信処理を行わないようにすることができる。
【００６０】
第１の処理部５１は、第１通信部２０−１による携帯端末装置２との通信が確立した際に、未送信の撮影画像があるか否かを判別し、未送信の撮影画像があると判別された場合に、送信要求がなくとも未送信の撮影画像を携帯端末装置２に送信する処理を実行する。
これにより、何らかのアクシデントにより通信が不能になった後でも、未送信の撮影画像を迅速に送信することができる。
【００６１】
撮影装置１は、第２の処理部５２を更に備える。
第２の処理部５２は、第１の処理部５１による自動送信処理の実行中に、通信に関わる状態の変化又は通信の切断要求を監視し、第１の処理部５１による自動送信処理が実行中であっても、第１通信部２０−１による携帯端末装置２との通信を切断させる割り込み処理を行う。
これにより、第１の処理部５１が、通信に関わる状態の変化又は通信の切断要求を監視することなく、適切な通信制御を行うことができる。
【００６２】
撮影装置１は、第４の処理部５４を更に備える。
第４の処理部５４は、第１の処理部５１による自動送信処理中、入力部１７−１によりユーザの電源オフ指示操作が行われた際に、未送信の撮影画像がある場合に未送信の撮影画像数を出力部１８−１に表示する処理を行うとともに、第１の処理部５１により１撮影画像の自動送信処理が終了するごとに未送信の撮影画像があるか否かを判別し、未送信の撮影画像がないと判別された場合に、第１通信部２０−１による携帯端末装置２との通信を切断させ、電源オフ処理を行う。
これにより、適切な通信制御と合わせて適切な電源管理を行うことができる。
【００６３】
撮影装置１は、第５の処理部５５を更に備える。
第５の処理部５５は、撮像部１６−１より撮影された画像を、第１の処理部５１が自動送信処理を行う撮影画像として管理する。
これにより、第１の処理部５１がファイル管理を行うことなく、適切な自動送信処理を行うことができる。
【００６４】
撮影装置１は、第６の処理部５６を更に備える。
第６の処理部５６は、第１の処理部５１による自動送信処理と、撮像部１６−１による撮影処理とを排他制御する、当該自動送信処理の実行を禁止する状態を管理する。
これにより、確実に撮影処理を確保しつつ、適切な自動送信処理を行うことができる。
【００６５】
上述の実施形態では、本発明が適用される撮影装置１は、デジタルカメラを例として説明したが、特にこれに限定されない。
例えば、本発明は、自動送信処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００６６】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が撮影装置１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【００６７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６８】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【００６９】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００７０】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７１】
以下に、本願の出願当初の特許請求の範囲に記載された発明を付記する。
［付記１］
撮像手段により撮影された画像を外部装置に送信する撮影装置であって、
前記撮像手段による画像の撮影と連動して出力される送信要求に呼応して、通信手段により通信が確立している前記外部装置への撮影画像の自動送信処理を行う自動送信処理手段と、
前記自動送信処理手段による自動送信処理が終了した後、前記通信手段による前記外部装置との通信を切断させるか否かを、前記送信要求とは異なる送信要求が発行されうる状態であるが否かにより判別する判別手段と、
を備えることを特徴とする撮影装置。
［付記２］
前記判別手段は、ユーザによる送信指示操作により出力される送信要求が発行されうる状態である場合に、前記通信手段による前記外部装置との通信を切断させないと判別する、
ことを特徴とする付記１に記載の撮影装置。
［付記３］
ユーザによる送信指示操作により出力される送信要求に呼応して、前記通信手段により通信が確立している前記外部装置への、保存されている画像の手動送信処理を行う手動送信処理手段を、更に備え、
前記判別手段は、ユーザにより前記手動送信処理の実行を指示する操作が可能な状態である場合に、前記通信手段による前記外部装置との通信を切断させないと判別する、
ことを特徴とする付記２に記載の撮影装置。
［付記４］
前記判別手段は、前記通信手段による前記外部装置との通信が不能となった状態から所定時間経過後は、前記自動送信処理手段による自動送信処理が終了していない場合であっても、前記通信手段による前記外部装置との通信を切断させるか否かの判別を行わない、
ことを特徴とする付記１〜３のいずれか一つに記載の撮影装置。
［付記５］
前記判別手段により、前記通信手段による前記外部装置との通信を切断させると判別された場合に、所定時間経過後に前記通信手段による前記外部装置との通信を切断する処理を実行させるタイムアウト処理手段を、更に備える、
ことを特徴とする付記１〜４のいずれか一つに記載の撮影装置。
［付記６］
前記自動送信処理手段による自動送信処理に先立ち、自動送信処理が可能な状態であるか否かを判別し、自動送信が可能な状態でないと判別された場合に、前記自動送信処理手段による自動送信処理を禁止させる送信禁止処理手段を、更に備える、
ことを特徴とする付記１〜５のいずれか一つに記載の撮影装置。
［付記７］
前記通信手段により前記外部装置との通信が確立した際に、未送信の撮影画像があるか否かを判別し、未送信の撮影画像があると判別された場合に、前記自動送信処理手段に、前記送信要求がなくとも未送信の撮影画像を前記外部装置に送信する処理を実行させる再送信処理手段を、更に備える、
ことを特徴とする付記１〜６のいずれか一つに記載の撮影装置。
［付記８］
前記自動送信処理手段による自動送信処理の実行中に、通信に関わる状態の変化又は通信の切断要求を監視し、前記自動送信処理手段による自動送信処理が実行中であっても、前記通信手段に前記外部装置との通信を切断させる割り込み処理を行う割込処理手段を、更に備える、
ことを特徴とする付記１〜７のいずれか一つに記載の撮影装置。
［付記９］
前記自動送信処理手段による自動送信処理中、ユーザによる電源オフ指示操作が行われた際に、未送信の撮影画像がある場合に未送信の撮影画像数を表示手段に表示する処理を行うとともに、当該自動送信処理手段により１撮影画像の自動送信処理が終了するごとに未送信の撮影画像があるか否かを判別し、未送信の撮影画像がないと判別された場合に、前記通信手段による前記外部装置との通信を切断させ、電源オフ処理を行う自動送信電源オフ手段を、更に備える、
ことを特徴とする付記１〜８のいずれか一つに記載の撮影装置。
［付記１０］
前記撮像手段により撮影された画像を、前記自動送信処理手段が自動送信処理を行う撮影画像として管理する画像管理処理手段を、更に備える、
ことを特徴とする付記１〜９のいずれか一つに記載の撮影装置。
［付記１１］
前記自動送信処理手段による自動送信処理と、前記撮像手段による撮影処理とを排他制御する、当該自動送信処理の実行を禁止する状態を管理する状態管理処理手段を、更に備える、
ことを特徴とする付記１〜１０のいずれか一つに記載の撮影装置。
［付記１２］
撮像手段と、画像を外部装置に送信する通信手段と、を備える撮影装置で実行される送信制御方法であって、
前記撮像手段による画像の撮影と連動して出力される送信要求に呼応して、通信手段により通信が確立している前記外部装置への撮影画像の自動送信処理を行う処理と、
前記自動送信処理が終了した後、前記通信手段による前記外部装置との通信を切断させるか否かを、前記送信要求とは異なる送信要求が発行されうる状態であるが否かにより判別する処理と、
を含むことを特徴とする送信制御方法。
［付記１３］
撮像手段と、画像を外部装置に送信する送信手段と、を備える撮影装置を制御するコンピュータに、
前記撮像手段による画像の撮影と連動して出力される送信要求に呼応して、通信手段により通信が確立している前記外部装置への撮影画像の自動送信処理を行う機能と、
前記自動送信処理が終了した後、前記通信手段による前記外部装置との通信を切断させるか否かを、前記送信要求とは異なる送信要求が発行されうる状態であるが否かにより判別する機能と、
を実現させることを特徴とするプログラム。
【符号の説明】
【００７２】
１・・・撮影装置，２・・・携帯端末装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・第１通信部，２１・・・第２通信部，２２・・・ドライブ，２３・・・電源部，３１・・・リムーバブルメディア，５１・・・第１の処理部，５２・・・第２の処理部，５３・・・第３の処理部，５４・・・第４の処理部，５５・・・第５の処理部，５６・・・第６の処理部，５７・・・第７の処理部，７１・・・画像記憶部，７２・・・送信対象リスト記憶部，７３・・・禁止要求記憶部，Ｓ・・・画像送信システム
【図１】
2016178638.tif 000003
【図２】
2016178638.tif 000004
【図３】
2016178638.tif 000005
【図４】
2016178638.tif 000006
【図５】
2016178638.tif 000007
【図６】
2016178638.tif 000008
【図７】
2016178638.tif 000009
【図８】
2016178638.tif 000010
【図９】
2016178638.tif 000011